(57)【要約】【課題】コイルの短絡を容易に検知することのできるコイル素子を提供する。【解決手段】コイル素子は、磁心と、コイルとを備えている。コイルは、磁心に巻き付けられている。コイルは、第１の巻線と、第２の巻線とを含んでいる。第１の巻線は、第１の周回において複数の巻き数で磁心に巻き付けられている。第２の巻線は、第１の巻線と一連に接続し、第１の周回に続く第２の周回において複数の巻き数で磁心に巻き付けられている。第１の巻線と第２の巻線とは、１巻きごとに相互に隣り合う。このコイル素子は、隣り合う巻線が短絡するとインダクタンスが大きく変化するので短絡を容易に検知することができる。【選択図】図１
2019079868.tif 000002
【特許請求の範囲】
【請求項１】
コイル素子であって、
磁心と、
前記磁心に捲回されているコイルと、
を備えており、
前記コイルは、
第１の周回において複数の巻き数で前記磁心に巻き付けられている第１の巻線と、
前記第１の巻線と連続している巻線であって、前記第１の周回に続く第２の周回において複数の巻き数で前記磁心に巻き付けられている第２の巻線と
を含んでおり、
前記第１の巻線と前記第２の巻線とは、１巻きごとに相互に隣り合う、コイル素子。
【発明の詳細な説明】
【技術分野】
【０００１】
本明細書は、コイル素子に関する技術を開示する。コイル素子は、コイルを主たる部品とする受動素子であり、代表的なコイル素子には、リアクトルとトランスがある。
【背景技術】
【０００２】
リアクトルやトランスなどのコイル素子は、各種の電気機器に用いられる受動素子である。リアクトルは、自動車を駆動する電動機用のＤＣ−ＤＣコンバータにも用いられる。トランスは、様々なデバイスで広く用いられている。
【０００３】
コイル素子は、磁性体から成る磁心（コア）と、巻線を巻いたコイルとを備える。特許文献１には、一連の巻線が順に巻き重なったコイルを備えるコイル素子（リアクトル）が開示されている。
【０００４】
コイル素子の不具合としては、コイルの短絡（ショート）がある。コイルの短絡は、巻線のピンホールや損傷のほか、巻線同士の間への異物混入などに起因して発生する。
【先行技術文献】
【特許文献】
【０００５】
【特許文献１】特開２０１４−１３８０１２号公報
【発明の概要】
【発明が解決しようとする課題】
【０００６】
特許文献１のコイル素子では、コイルの短絡を検知することについて十分な配慮がなされていなかった。例えば、一連の巻線が順に巻き重なった特許文献１のコイルが１か所で短絡した場合、コイル素子全体のインダクタンスの変化がコイルの１巻き分にとどまるため、インダクタンスの変化に基づいてコイルの短絡を検知することが困難であった。
【課題を解決するための手段】
【０００７】
本明細書が開示するコイル素子は、磁心と、コイルとを備える。コイルは、磁心に捲回されている。コイルは、第１の巻線と、第２の巻線とを含む。第１の巻線は、第１の周回において複数の巻き数で磁心に巻き付けられている。第２の巻線は、第１の巻線と連続している。第２の巻線は、第１の周回に続く第２の周回において複数の巻き数で磁心に巻き付けられている。第１の巻線と第２の巻線とは、１巻きごとに相互に隣り合っている。
【０００８】
上記形態におけるコイル素子によれば、一連の巻線が順に巻き重なった場合と比較して、コイルが短絡した場合におけるインダクタンスの変化を増大させることができる。その結果、インダクタンスの変化に基づいてコイルの短絡を容易に検知できる。
【図面の簡単な説明】
【０００９】
【図１】第１実施例のコイル素子（リアクトル）の構成を示す説明図である。
【図２】一連の巻線が順に巻き重なったリアクトルの構成を示す説明図である。
【図３】リアクトルを用いた回路を示す説明図である。
【図４】リアクトル間電圧およびリアクトル電流の一例を示す説明図である。
【図５】第２実施例のコイル素子（リアクトル）の構成を示す説明図である。
【図６】第３実施例のコイル素子（トランス）の構成を示す説明図である。
【発明を実施するための形態】
【００１０】
（第１実施例）第１実施例のコイル素子は、リアクトル１００である。図１は、第１実施例におけるリアクトル１００の構成を示す説明図である。リアクトル１００は、自動車を駆動する電動機用のＤＣ−ＤＣコンバータに用いられる受動素子である。リアクトル１００は、端子１１０と、端子１２０と、磁心１３０と、コイル１４０とを備えている。
【００１１】
リアクトル１００の端子１１０は、コイル１４０における２つの端部のうち端子１２０とは異なる端部を構成する。リアクトル１００の端子１２０は、コイル１４０における２つの端部のうち端子１１０とは異なる端部を構成する。端子１１０および端子１２０は、リアクトル１００に接続される他の回路要素へと電気的に接続される。端子１１０が高電位側に接続される場合、端子１２０は低電位側に接続される。端子１１０が低電位側に接続される場合、端子１２０は高電位側に接続される。
【００１２】
リアクトル１００の磁心１３０は、磁性体から成る。磁心１３０は、矩形環状を成している。磁心１３０は、長辺部１３１と、長辺部１３２と、短辺部１３３と、短辺部１３４とを有している。長辺部１３１は、矩形環状の部位のうち矩形の長辺に対応する部位である。長辺部１３２は、矩形環状の部位のうち長辺部１３１に対向する長辺に対応する部位である。短辺部１３３は、矩形環状の部位のうち矩形の短辺に対応する部位である。短辺部１３４は、矩形環状の部位のうち短辺部１３３に対向する短辺に対応する部位である。
【００１３】
リアクトル１００のコイル１４０は、磁心１３０の長辺部１３１および長辺部１３２に巻き付けられている。コイル１４０を構成する巻線の表面は、絶縁被膜で覆われている。コイル１４０は、巻線１４１と、巻線１４２と、巻線１４３と、巻線１４４とを含んでいる。なお、巻線１４１−１４４は、連続した１本のケーブルであるが、説明の便宜上、４個の部分に分ける。
【００１４】
巻線１４１と巻線１４２は、第１の周回において複数の巻き数で磁心１３０に巻き付けられた第１の巻線である。巻線１４３と巻線１４４は、巻線１４１、１４２と連続しており、第１の周回に続く第２の周回において複数の巻き数で磁心１３０に巻き付けられた第２の巻線である。図１には、図の理解を容易にするために、巻線１４３および巻線１４４にハッチングを施してある。
【００１５】
巻線１４１は、第１の周回において複数の巻き数で磁心１３０の長辺部１３１に巻き付けられている。巻線１４３は、第２の周回において複数の巻き数で磁心１３０の長辺部１３１に巻き付けられている。磁心１３０の長辺部１３１において、巻線１４１と巻線１４３とは、１巻きごとに相互に隣り合う。言い換えると、磁心１３０の長辺部１３１において、巻線１４１および巻線１４３は、２条巻きの螺旋状を成している。
【００１６】
巻線１４２は、第１の周回において複数の巻き数で磁心１３０の長辺部１３２に巻き付けられている。巻線１４４は、第２の周回において複数の巻き数で磁心１３０の長辺部１３２に巻き付けられている。磁心１３０の長辺部１３２において、巻線１４２と巻線１４４とは、１巻きごとに相互に隣り合う。言い換えると、磁心１３０の長辺部１３２において、巻線１４２および巻線１４４は、２条巻きの螺旋状を成している。
【００１７】
巻線１４１の一端は、端子１１０に接続されている。コイル１４０は、接続部１６１と、接続部１６２と、接続部１６３とを有している。接続部１６１は、巻線１４１と巻線１４２とを接続する。接続部１６２は、巻線１４２と巻線１４３とを接続する。接続部１６３は、巻線１４３と巻線１４４とを接続する。巻線１４４の一端は、端子１２０に接続されている。先に述べたように、巻線１４１−１４４は、連続した１本のケーブルであり、接続部１６１−１６３も、説明のための便宜上の呼称である。
【００１８】
コイル１４０では、巻線１４１、１４２、１４３、１４４の各巻き数を合計したコイル１４０の総巻き数を「ａ」とした場合、端子１１０側から数えて「ｎ」巻き目の部位は、端子１１０側から数えて（ｎ＋ａ／２）巻き目の部位と隣り合う。したがって、コイル１４０が１か所で短絡した場合、リアクトル１００のインダクタンスは、１／２倍となる。
【００１９】
図２は、一連の巻線が順に巻き重なった、比較例のリアクトル９００の構成を示す説明図である。リアクトル９００は、コイル１４０に代えてコイル９４０を備える点を除き、図１のリアクトル１００と同様である。リアクトル９００は、端子１１０と、端子１２０と、磁心１３０と、コイル９４０とを備えている。
【００２０】
リアクトル９００のコイル９４０は、磁心１３０に対する巻き付き方が異なる点を除き、図１のコイル１４０と同様である。コイル９４０は、磁心１３０の長辺部１３１に巻き付けられた後、磁心１３０の長辺部１３２に巻き付けられている。磁心１３０の長辺部１３１におけるコイル９４０の巻き数は、リアクトル１００の巻線１４１と巻線１４３とを合わせた巻き数と同様である。磁心１３０の長辺部１３２におけるコイル９４０の巻き数は、リアクトル１００の巻線１４２と巻線１４４と合わせた巻き数と同様である。したがって、コイル９４０の磁心１３０に対する巻き数は、リアクトル１００のコイル１４０と同じである。
【００２１】
リアクトル９００では、コイル９４０の総巻き数を「ａ」とした場合、端子１１０側から数えて「ｎ」巻き目の部位は、端子１１０側から数えて（ｎ＋１）巻き目の部位と隣り合う。したがって、コイル９４０が１か所で短絡した場合、リアクトル９００のインダクタンスは、（１−１／ａ）倍となる。
【００２２】
図３は、リアクトルＬを用いた一例の回路６００を示す説明図である。回路６００は、パルス幅変調（ＰＷＭ：Pulse Width Modulation）を実施するＰＷＭ回路である。
【００２３】
回路６００は、リアクトルＬのほか、入力端子ＩＮと、スイッチＳＷと、ダイオードＤと、出力端子ＯＵＴとを備えている。リアクトルＬの一端は、入力端子ＩＮに接続されている。リアクトルＬの他端は、スイッチＳＷおよびダイオードＤのアノードに接続されている。ダイオードＤのカソードは、出力端子ＯＵＴに接続されている。回路６００は、スイッチＳＷによるスイッチング動作によって、入力端子ＩＮに入力される入力電圧Ｖ１を、出力電圧Ｖ２に変換して出力端子ＯＵＴから出力する。
【００２４】
回路６００は、電圧センサ６１０と、電流センサ６２０とを備えている。電圧センサ６１０は、リアクトルＬに加わる電圧（リアクトル間電圧）を検知する。電流センサ６２０は、リアクトルＬに流れるリアクトル電流を検知する。リアクトル電流の振幅値は、リアクトル間電圧、スイッチＳＷによるキャリア周波数、ならびに、リアクトルＬのインダクタンスによって決まる。
【００２５】
図４は、リアクトル間電圧およびリアクトル電流の一例を示す説明図である。図４（ａ）には、リアクトルＬとしてリアクトル１００またはリアクトル９００を用いた回路６００におけるリアクトル間電圧Ｖａの時間変化を示すグラフである。図４（ａ）の横軸は時間を示し、図４（ａ）の縦軸は電圧を示す。リアクトル間電圧Ｖａは、キャリア周波数ｆｃに基づいて変化する。図４（ｂ）には、リアクトルＬとしてリアクトル１００またはリアクトル９００を用いた回路６００における正常時のリアクトル電流である正常時電流Ｉｂの時間変化を示すグラフである。図４（ｂ）の横軸は時間を示し、図４（ｂ）の縦軸は電流を示す。正常時においては、リアクトル１００およびリアクトル９００のいずれをリアクトルＬに用いた場合であっても、リアクトル間電圧Ｖａおよび正常時電流Ｉｂは同様である。
【００２６】
図４（ｃ）には、リアクトルＬとしてリアクトル９００を用いた回路６００において、コイル９４０が１か所で短絡した異常時のリアクトル電流である異常時電流Ｉｃの時間変化を示すグラフである。図４（ｃ）の横軸は時間を示し、図４（ｃ）の縦軸は電流を示す。コイル９４０が１か所で短絡した場合、リアクトル９００のインダクタンスは、（１−１／ａ）倍となる。そのため、正常時電流Ｉｂの振幅値を「Ａ」とした場合、異常時電流Ｉｃの振幅値は「（ａ／（ａ−１））Ａ」となる。
【００２７】
図４（ｄ）には、リアクトルＬとしてリアクトル１００を用いた回路６００において、コイル１４０が１か所で短絡した異常時のリアクトル電流である異常時電流Ｉｄの時間変化を示すグラフである。図４（ｄ）の横軸は時間を示し、図４（ｄ）の縦軸は電流を示す。コイル１４０が１か所で短絡した場合、リアクトル１００のインダクタンスは、１／２倍となる。そのため、正常時電流Ｉｂの振幅値を「Ａ」とした場合、異常時電流Ｉｄの振幅値は「２Ａ」となる。
【００２８】
リアクトルＬとしてリアクトル１００を用いた回路６００においてリアクトル１００の異常を検知する手法として、次の手法Ａ〜Ｄが考えられる。
【００２９】
＜手法Ａ＞
ステップＡ１：スイッチＳＷによるオンおよびオフのタイミングでリアクトル１００に発生するリップル電流の最大値および最小値を検知する。
ステップＡ２：リップル電流の最大値と最小値との差分からリップル電流の振幅値を算出する。
ステップＡ３：リップル電流の振幅値に基づいてリアクトル１００のインダクタンスの低下を判断する。
【００３０】
＜手法Ｂ＞
ステップＢ１：スイッチＳＷのオン中またはオフ中にリアクトル電流を所定の時間間隔で検知する。
ステップＢ２：所定の時間間隔で検知したリアクトル電流に基づいてリアクトル電流の傾き（変化率）を算出する。
ステップＢ３：リアクトル電流の傾き（変化率）に基づいてリアクトル１００のインダクタンスの低下を判断する。
【００３１】
＜手法Ｃ＞
ステップＣ１：スイッチＳＷのオン中またはオフ中にリアクトル電流を所定の時間間隔で検知する。
ステップＣ２：所定の時間間隔で検知したリアクトル電流に基づいてリアクトル電流の傾き（変化率）を算出する。
ステップＣ３：リアクトル電流の傾き（変化率）と、スイッチＳＷのオン時間またはオフ時間とに基づいて、リアクトル電流の振幅値を算出する。
ステップＣ４：リアクトル電流の振幅値に基づいてリアクトル１００のインダクタンスの低下を判断する。
【００３２】
＜手法Ｄ＞
ステップＤ１：スイッチＳＷのオン中およびオフ中の少なくとも一方の中間時点にリアクトル電流を検知する。
ステップＤ２：リアクトル電流に基づいてリアクトルに蓄えられているリアクトルエネルギを算出する。
ステップＤ３：リアクトルエネルギと負荷装置における消費電力とを比較することによって、リアクトル１００のインダクタンスの低下を判断する。
【００３３】
以上説明した第１実施例におけるリアクトル１００によれば、一連の巻線が順に巻き重なった場合（リアクトル９００）と比較して、コイル１４０が短絡した場合におけるインダクタンスの変化を増大させることができる。その結果、インダクタンスの変化に基づいてコイル１４０の短絡を容易に検知できる。
【００３４】
また、インパルス応答試験によってコイルの絶縁不良を検査する際、リアクトル１００によれば、一連の巻線が順に巻き重なった場合（リアクトル９００）と比較して、比較的に低いパルス電圧を印加することによってコイルの絶縁不良を検査できる。
【００３５】
（第２実施例）第２実施例のコイル素子は、リアクトル２００である。図５は、第２実施例におけるリアクトル２００の構成を示す説明図である。リアクトル２００は、自動車を駆動する電動機用のＤＣ−ＤＣコンバータに用いられる受動素子である。リアクトル２００は、端子２１０と、端子２２０と、磁心２３０と、コイル２４０とを備えている。
【００３６】
リアクトル２００の端子２１０は、コイル２４０における２つの端部のうち端子２２０とは異なる端部を構成する。リアクトル２００の端子２２０は、コイル２４０における２つの端部のうち端子２１０とは異なる端部を構成する。端子２１０および端子２２０は、リアクトル２００に接続される他の回路要素へと電気的に接続される。端子２１０が高電位側に接続される場合、端子２２０は低電位側に接続される。端子２１０が低電位側に接続される場合、端子２２０は高電位側に接続される。
【００３７】
リアクトル２００の磁心２３０は、磁性体から成る。磁心２３０は、短辺同士の中点を結ぶ梁を有する矩形環状を成す。磁心２３０は、長辺部２３１と、長辺部２３２と、短辺部２３３と、短辺部２３４と、梁部２３５とを有している。長辺部２３１は、矩形環状の部位のうち矩形の長辺に対応する部位である。長辺部２３２は、矩形環状の部位のうち長辺部２３１に対向する長辺に対応する部位である。短辺部２３３は、矩形環状の部位のうち矩形の短辺に対応する部位である。短辺部２３４は、矩形環状の部位のうち短辺部２３３に対向する短辺に対応する部位である。梁部２３５は、短辺部２３３の中点と短辺部２３３の中点とを結ぶ部位である。
【００３８】
リアクトル２００のコイル２４０は、磁心２３０の梁部２３５に巻き付けられている。コイル２４０を構成する巻線の表面は、絶縁被膜で覆われている。コイル２４０は、巻線２４１と、巻線２４３とを有している。巻線２４１は、第１の周回において複数の巻き数で磁心２３０に巻き付けられた第１の巻線である。巻線２４３は、巻線２４１と一連に接続し、第１の周回に続く第２の周回において複数の巻き数で磁心２３０に巻き付けられた第２の巻線である。図５には、図の理解を容易にするために、巻線２４３にハッチングが施されている。第１実施例の場合と同様に、巻線２４１と巻線２４３は、連続した１本のケーブルであり、説明の便宜上、２つの部分（巻線２４１と巻線２４３）に分けていることに留意されたい。
【００３９】
巻線２４１は、第１の周回において複数の巻き数で磁心２３０の梁部２３５に巻き付けられている。巻線２４３は、第２の周回において複数の巻き数で磁心２３０の梁部２３５に巻き付けられている。磁心２３０の梁部２３５において、巻線２４１と巻線２４３とは、１巻きごとに相互に隣り合う。言い換えると、磁心２３０の梁部２３５において、巻線２４１および巻線２４３は、２条巻きの螺旋状を成している。
【００４０】
巻線２４１の一端は、端子２１０に接続されている。コイル２４０は、巻線２４１と２４３とを一連に接続する接続部２６０を有する。巻線２４３の一端は、端子２２０に接続されている。
【００４１】
コイル２４０では、巻線２４１，２４３の各巻き数を合計したコイル２４０の総巻き数を「ｂ」とした場合、端子２１０側から数えて「ｎ」巻き目の部位は、端子２１０側から数えて（ｎ＋ｂ／２）巻き目の部位と隣り合う。したがって、コイル２４０が１か所で短絡した場合、リアクトル１００のインダクタンスは、１／２倍となる。
【００４２】
第２実施例におけるリアクトル２００によれば、第１実施例と同様に、一連の巻線が順に巻き重なった場合と比較して、コイル２４０が短絡した場合におけるインダクタンスの変化を増大させることができる。その結果、インダクタンスの変化に基づいてコイル２４０の短絡を容易に検知できる。
【００４３】
（第３実施例）第３実施例のコイル素子は、トランス３００である。図６は、第３実施例におけるトランス３００の構成を示す説明図である。トランス３００は、１次コイル３４０と、２次コイル３５０と、鉄心３３０と、１次側端子３１０、３１２と、２次側端子３１４、３１６を備えている。
【００４４】
１次側端子３１０、３１２の夫々は、１次コイル３４０の両端部の夫々に接続されている。１次側端子３１０、３１２は、トランス３００の１次コイル３４０に接続される他の回路要素へと電気的に接続される。２次側端子３１４、３１６の夫々は、２次コイル３５０の両端部の夫々に接続されている。２次側端子３１４、３１６は、トランス３００の２次コイル３５０に接続される他の回路要素へと電気的に接続される。
【００４５】
磁心３３０は、磁性体から成る。磁心３３０は、矩形環状を成している。磁心３３０は、長辺部３３１と、長辺部３３２と、短辺部３３３と、短辺部３３４とを有している。長辺部３３１は、矩形環状の部位のうち矩形の長辺に対応する部位である。長辺部３３２は、矩形環状の部位のうち長辺部３３１に対向する長辺に対応する部位である。短辺部３３３は、矩形環状の部位のうち矩形の短辺に対応する部位である。短辺部３３４は、矩形環状の部位のうち短辺部３３３に対向する短辺に対応する部位である。
【００４６】
１次コイル３４０は、磁心３３０の長辺部３３１に巻き付けられている。１次コイル３４０を構成する巻線の表面は、絶縁被膜で覆われている。１次コイル３４０は、巻線３４１と、巻線３４２を含んでいる。なお、巻線３４１と巻線３４２は、連続した１本のケーブルであるが、説明の便宜上、２個の部分に分ける。
【００４７】
巻線３４１は、第１の周回において複数の巻き数で磁心３３０（長辺部３３１）に巻き付けられた第１の巻線である。巻線３４２は、巻線３４１と連続しており、第１の周回に続く第２の周回において複数の巻き数で磁心３３０（長辺部３３１）に巻き付けられた第２の巻線である。図６では、図の理解を容易にするために、巻線３４２にハッチングを施してある。
【００４８】
巻線３４１は、第１の周回において複数の巻き数で磁心３３０の長辺部３３１に巻き付けられている。巻線３４２は、第２の周回において複数の巻き数で磁心３３０の長辺部３３１に巻き付けられている。磁心３３０の長辺部３３１において、巻線３４１と巻線３４２とは、１巻きごとに相互に隣り合う。言い換えると、磁心３３０の長辺部３３１において、巻線３４１および巻線３４２は、２条巻きの螺旋状を成している。
【００４９】
巻線３４１の一端は、１次側端子３１０に接続されている。巻線３４１の他端と巻線３４２の一端は、接続部３４９で接続されている。巻線３４２の他端は、１次側端子３１２に接続されている。巻線３４１と巻線３４２は、連続した１本のケーブルであり、接続部３４９も、説明のための便宜上の呼称である。
【００５０】
２次コイル３５０は、磁心３３０の長辺部３３２に巻き付けられている。２次コイル３５０を構成する巻線の表面は、絶縁被膜で覆われている。２次コイル３５０は、巻線３５１と、巻線３５２を含んでいる。なお、巻線３５１と巻線３５２は、連続した１本のケーブルであるが、説明の便宜上、２個の部分に分ける。
【００５１】
巻線３５１は、第１の周回において複数の巻き数で磁心３３０（長辺部３３２）に巻き付けられた第１の巻線である。巻線３５２は、巻線３５１と連続しており、第１の周回に続く第２の周回において複数の巻き数で磁心３３０（長辺部３３２）に巻き付けられた第２の巻線である。図６では、図の理解を容易にするために、巻線３５２にハッチングを施してある。
【００５２】
巻線３５１は、第１の周回において複数の巻き数で磁心３３０の長辺部３３２に巻き付けられている。巻線３５２は、第２の周回において複数の巻き数で磁心３３０の長辺部３３２に巻き付けられている。磁心３３０の長辺部３３２において、巻線３５１と巻線３５２とは、１巻きごとに相互に隣り合う。言い換えると、磁心３３０の長辺部３３２において、巻線３５１および巻線３５２は、２条巻きの螺旋状を成している。
【００５３】
巻線３５１の一端は、２次側端子３１４に接続されている。巻線３５１の他端と巻線３５２の一端は、接続部３５９で接続されている。巻線３５２の他端は、２次側端子３１６に接続されている。巻線３５１と巻線３５２は、連続した１本のケーブルであり、接続部３５９も、説明のための便宜上の呼称である。
【００５４】
第３実施例のトランス３００も、第１実施例のリアクトル１００、第２実施例のリアクトル２００と同様に、隣り合う巻線が短絡したときにインダクタンスが大きく変化するので短絡を検知し易い。具体的には、トランス３００では、インダクタンスが変化すると、１次側端子３１０、３１２に印加される電圧と、２次側端子３１４、３１６に出力される電圧の比（電圧比）が変化する。トランス３００では、１次コイル３４０、２次コイル２５０のいずれであっても、隣り合う巻線が短絡すると電圧比が大きく変化する。トランス３００の電圧比をモニタしていれば、巻線の短絡を容易に検知することができる。
【００５５】
以上、実施形態を詳細に説明したが、これらは例示にすぎず、特許請求の範囲を限定するものではない。特許請求の範囲に記載の技術には、上述した実施形態を様々に変形、変更したものが含まれる。また、本明細書または図面において説明した技術要素は、単独であるいは各種の組合せによって技術的有用性を発揮するものであり、出願時の請求項に記載した組合せに限定されるものではない。また、本明細書または図面において説明した技術は、複数の目的を同時に達成するものであり、そのうちの一つの目的を達成すること自体で技術的有用性を持つものである。
【符号の説明】
【００５６】
１００、２００、９００：リアクトル
１１０、１２０、２１０、２２０：端子
１３０、２３０、３３０：磁心
１３１、１３２、２３１、２３２、３３１、３３２：長辺部
１３３、１３４、２３３、２３４、３３３、３３４：短辺部
１４０、２４０、９４０：コイル
１４１、１４２、１４３、１４４、２４１、２４３：巻線
１６１、１６２、１６３、２６０：接続部
２３５：梁部
３００：トランス
３１０、３１２：１次側端子
３１４、３１６：２次側端子
３４０：１次コイル
３４９、３５９：接続部
３５０：２次コイル
３４１、３４２、４５１、３５２：巻線
６００：回路
６１０：電圧センサ
６２０：電流センサ
【図１】
2019079868.tif 000003
【図２】
2019079868.tif 000004
【図３】
2019079868.tif 000005
【図４】
2019079868.tif 000006
【図５】
2019079868.tif 000007
【図６】
2019079868.tif 000008